(57)【要約】【課題】ハンドル部分の組み立て性に優れ、しかも、組み立て状態で側壁部材に倒れる方向に荷重がかかっても、その荷重がハンドル部分にかからない箱型容器を提供することを目的としている。【解決手段】対向する一対の側壁部材の両側縁に形成された被係合部と、対向するもう一対の側壁部材の両側縁に形成され、被係合部に弾性係合して側壁部材を組み立て状態に保持する弾性係合部と係合されて、組み立て状態を保持し、ハンドルの両端にそれぞれ設けられたロック解除爪部によって弾性係合部を弾性変形させて弾性係合部の被係合部への係合を解除させるようにした。【選択図】      図１
2005082157.tif 000002
【特許請求の範囲】
【請求項１】
矩形の底板部材と、４枚の側壁部材とを組み立てて箱状に形成されるとともに、４枚の側壁部材がそれぞれ前記底板の端縁にヒンジを介して回動自在に取り付けられ、ロック手段を解除することによって、前記ヒンジを中心に内側または外側に回動して起倒自在になっている箱型容器において、
前記ロック手段が、対向する一対の側壁部材の両側縁に形成された被係合部と、対向するもう一対の側壁部材の両側縁に形成され、前記被係合部に弾性係合して側壁部材を組み立て状態に保持する弾性係合部とから形成されており、
側壁部材を組み立て状態にした時、その両端にそれぞれ設けられたロック解除爪部が弾性係合部を臨む位置に配置されるハンドルが、前記ロック解除爪部によって前記弾性係合部を弾性変形させて弾性係合部の被係合部への係合を解除する方向に移動自在に、被係合部が設けられた側壁部材の壁面に取り付けられていることを特徴とする箱型容器。
【請求項２】
ハンドルが、射出成形によって成形された一部材で形成されていて、両端にロック解除爪部を備えたハンドル本体と、ハンドル本体の中間部から延出して弾性変形可能なハンドル本体付勢部とを備え、ハンドル本体付勢部の弾性復元力によってロック解除爪部が弾性係合部の係合非解除方向に付勢されるように、側壁部材の外壁面に設けられたハンドル取り付け凹部にハンドル本体付勢部が嵌め込まれている請求項１に記載の箱型容器。
【発明の詳細な説明】
【技術分野】
【０００１】
本発明は、たとえば、物流用としての折り畳みあるいは展開可能な箱型容器に関する。
【背景技術】
【０００２】
コンテナのような物流用容器として、矩形の底板部材と、４枚の側壁部材とを組み立てて箱状に形成されるとともに、４枚の側壁部材がそれぞれ前記底板の端縁にヒンジを介して回動自在に取り付けられ、ロック手段を解除することによって、前記ヒンジを中心に内側または外側に回動して起倒自在になっている箱型容器が用いられている（特許文献１等参照）。
ロック手段は、側壁部材を組み立て状態にしたとき、一対の対向する側壁部材に取り付けられたハンドルによって隣接する側壁部材の側縁方向に進退するするロックピンと、もう１対の対向する側壁部材の側縁に設けられ、ロックピンが嵌まり込む嵌合穴とから構成されている。
【０００３】
すなわち、上記のような箱型容器は、ハンドルを操作してロックピンを縮退させてロックピンの嵌合穴への嵌合を解除すれば、４枚の側壁部材を外側に倒して展開状態にしたり、内側に倒して折り畳み状態にすることができるようになっており、不使用時の収納スペースを少なくすることができ、輸送コストや保管コストを低減できるという利点がある。
【０００４】
【特許文献１】特開２００３−４０２６３号公報
【発明の開示】
【発明が解決しようとする課題】
【０００５】
しかしながら、従来の上記箱型容器の場合、ロック手段が一対の対向する側壁部材に取り付けられたハンドルによって隣接する側壁部材の側縁方向に進退するするロックピンと、もう１対の対向する側壁部材の側縁に設けられ、ロックピンが嵌まり込む嵌合穴とから構成されているので、組み立て状態で側壁部材に倒れる方向に荷重がかかると、その荷重をロックピンで受けることになる。
したがって、ロックピンおよびこのロックピンを操作するハンドルおよびハンドルの固定構造等の構造を上記のような荷重に耐える強固なものにしなければならず、ハンドル部分が複雑で組み立て性が悪く、しかもコストがかかるという問題がある。
【０００６】
本発明は、上記事情に鑑みて、ハンドル部分の組み立て性に優れ、しかも、組み立て状態で側壁部材に倒れる方向に荷重がかかっても、その荷重がハンドル部分にかからない箱型容器を提供することを目的としている。
【課題を解決するための手段】
【０００７】
上記目的を達成するために、本発明にかかる箱型容器は、矩形の底板部材と、４枚の側壁部材とを組み立てて箱状に形成されるとともに、４枚の側壁部材がそれぞれ前記底板の端縁にヒンジを介して回動自在に取り付けられ、ロック手段を解除することによって、前記ヒンジを中心に内側または外側に回動して起倒自在になっている箱型容器において、前記ロック手段が、対向する一対の側壁部材の両側縁に形成された被係合部と、対向するもう一対の側壁部材の両側縁に形成され、前記被係合部に弾性係合して側壁部材を組み立て状態に保持する弾性係合部とから形成されており、側壁部材を組み立て状態にした時、その両端にそれぞれ設けられたロック解除爪部が弾性係合部を臨む位置に配置されるハンドルが、前記ロック解除爪部によって前記弾性係合部を弾性変形させて弾性係合部の被係合部への係合を解除する方向に移動自在に、被係合部が設けられた側壁部材の壁面に取り付
けられていることを特徴としている。
【０００８】
また、本発明の箱型容器において、ハンドルが、射出成形によって成形された一部材で形成され、両端にロック解除爪部を備えたハンドル本体と、ハンドル本体の中間部から延出して弾性変形可能なハンドル本体付勢部とを備え、ハンドル本体付勢部の弾性復元力によってロック解除爪部が弾性係合部の係合非解除方向に付勢されるように、側壁部材の外壁面に設けられたハンドル取り付け凹部にハンドル本体付勢部が嵌め込まれる構成とすることが好ましい。
【発明の効果】
【０００９】
本発明にかかる箱型容器は、以上のように、側壁部材が一方の側壁部材に設けられた被係合部に、他方の側壁部材に設けられた弾性係合部が弾性係合することによって組み立て状態となるようになっているので、組み立て状態で側壁部材が倒れる方向に荷重がかかっても、ハンドルには、一切荷重がかからない。したがって、ハンドル部分の構造は単純なもので済み、ハンドル部分の製造が容易で低コスト化を図ることができる。
【００１０】
また、ハンドルが、射出成形によって成形された一部材で形成され、両端にロック解除爪部を備えたハンドル本体と、ハンドル本体の中間部から延出して弾性変形可能なハンドル本体付勢部とを備え、ハンドル本体付勢部の弾性復元力によってロック解除爪部が弾性係合部の係合非解除方向に付勢されるように、側壁部材の外壁面に設けられたハンドル取り付け凹部にハンドル本体付勢部が嵌め込まれる構成とすれば、ハンドル部分の製造が容易で、ハンドル部分の取り付け作業を簡素化することができる。
【発明を実施するための最良の形態】
【００１１】
以下に、本発明を、その実施の形態をあらわす図面を参照しつつ詳しく説明する。
図１〜図１１は、本発明にかかる箱型容器の１つの実施の形態をあらわしている。
【００１２】
図１および図２に示すように、この箱型容器１は、底板部材２と、４枚の側壁部材３，３，４，４と、２つのハンドル５とを備え、すべての部材がポリプロピレンやＡＢＳ樹脂等の熱可塑性樹脂を射出成形することによって形成されている。
底板部材２は、略長方形をしていて、図２に示すように、長辺側の端縁部２１が、短辺側の端縁部２２に比べ、後述する側壁部材３の略厚み分高くなっているとともに、両端縁部２１，２２に後述する側壁部材３，４の軸受け凹部２１ａ，２２ａがそれぞれ形成されている。
【００１３】
図示していないが、軸受け凹部２１ａ，２２ａは、それぞれ後述する側壁部材３，４の軸３１ｂ，４１ａが嵌合する軸孔をその壁面に備えている。
【００１４】
側壁部材３は、図３に示すように、側壁部材本体３１と、弾性係合部３２と、鉤状ストッパ３３とを備えている。
側壁部材本体３１は、長手寸法が底板部材２の長手寸法と略同じ長さの略長方形をしていて、その下端に、底板部材２の長辺側の端縁部２１に設けられた軸受け凹部２１ａに対応する位置に、その両側壁に軸３１ｂが突設された嵌合突部３１ａを備えていて、嵌合突部３１ａを軸受け凹部２１ａに嵌合し、その軸３１ｂを軸受け凹部２１ａ内の軸孔に回転自在に軸支させることによって、底板部材２に回動自在に支持されている。
【００１５】
弾性係合部３２は、図３および図４に示すように、側壁部材本体３１の両側縁部にそれぞれ設けられていて、係合部本体３２１と、係合部本体３２１を側壁部材本体３１に連結する連結部３２２とを備えている。
連結部３２２は、上辺側３２２ａが長い断面略コ字形をしていて、側壁部材本体３１に
設けられた孔３１１の内壁面に上辺側３２２ａが一体に成形されている。
【００１６】
係合部本体３２１は、連結部３２２から側壁部材本体３１の内側に突出するように連結部３２２に一体成形されていて、断面略コ字形をしており、その上面がコ字の下方側に向かって下降するテーパ面３２１ａになっているとともに、コーナー部外面がアール形状になっている。
鉤状ストッパ３３は、弾性係合部３２の上下に設けられていて、側壁部材本体３１の内面から垂直に立ち上がる垂直部３３１と、この垂直部３３１の先端から側壁部材本体３１の内面３１ａに平行に延びる平行部３３２を備えた断面略Ｌ字形をしている。
【００１７】
側壁部材４は、図５に示すように、その長手寸法がほぼ底板部材２の短手寸法より２枚の側壁部材本体３１の厚みの合計分をマイナスした寸法をしていて、その下端に側壁部材本体３１と同様に嵌合突部４１が突設されていて、この嵌合突部４１を軸受け凹部２２ａに嵌合させることによって、側壁部材３と同様に底板部材２に回動自在に支持されている。
また、組み立て時に側壁部材４の側縁部の弾性係合部３２に対応する部分には、図５および図６に示すように、切欠部４２が設けられている。
【００１８】
切欠部４２内には、係合部本体３２１のテーパ面３２１ａに対応する部分に被係合部４３が設けられている。
側壁部材４の外側壁面には、組み立て時に鉤状ストッパ３３の平行部３３２が嵌まり込むストッパ受け部４４が設けられているとともに、後述するハンドル５のハンドル取り付け凹部４５が設けられている。
【００１９】
ハンドル取り付け凹部４５は、ハンドル本体嵌合部４５１と、固定支柱嵌合部４５２とを備えている。
固定支柱嵌合部４５２は、図６に示すように、後述するハンドル５の固定支柱５３の上部端部が嵌まり込む上部嵌合溝４５２ａと、固定支柱５３の下端部が嵌まり込む下部嵌合溝４５２ｂとを備え、切欠部４２を臨む部分が切り欠かれている。
【００２０】
上部嵌合溝４５２ａは、そのハンドル本体嵌合部４５１側の壁面に後述するハンドル５のハンドル本体付勢部５２の一部が入り込むスリット４５２ｃが形成されているとともに、固定支柱５３の側壁面から突出する突起５３２が嵌まり込む孔４５２ｄが穿設されている。
【００２１】
ハンドル５は、図７に示すように、ハンドル本体５１と、ハンドル本体付勢部５２と、固定支柱５３と、ロック解除爪部５４とを備え、これらが射出成形によって図７に示すような形状に一体成形されている。
ハンドル本体５１は、その長手方向両端部が下方に折れ曲がった形状をしていて、両端にハンドル本体５１の外面側が切り欠かれた形状で、ロック解除爪部５４が一体に設けられている。
【００２２】
また、ハンドル本体５１の中央部には把手となる凹部５１１が穿設されている。
ロック解除爪部５４は、弾性係合部３２のコ字形内に入り込む大きさをしているとともに、ハンドル本体５１の端面との間に固定支柱５３がスライド自在に嵌まり込む凹部５４２を形成する突条５４１が設けられている。
【００２３】
ハンドル本体付勢部５２は、薄肉の断面波状をしていて、一端がハンドル本体５１の中間部に一体成形され、他端が固定支柱５３に一体成形されている。
固定支柱５３は、その下端側の内面側（側壁部材４側）にガイド溝５３１が穿設されて
いるとともに、ハンドル本体付勢部５２近傍の両側面に突起５３２が突設されている。
【００２４】
そして、このハンドル５は、ハンドル本体付勢部５２を少しねじるようにして、図８に示すように固定支柱５３のガイド溝５３１部分がロック解除爪部５４の凹部５４２に嵌まり込むように組み立てたのち、図９に示すように、ハンドル本体５１をハンドル本体嵌合部４５１に、固定支柱５３を固定支柱嵌合部４５２に嵌合させるとともに、ハンドル本体付勢部５２をスリット４５２ｃに挿入することによって側壁部材４に取り付けられている。
【００２５】
この箱型容器１は、以上のようになっており、不使用時には、図２に示すように、まず、１対の側壁部材４を底板部材２に平行になるように折り畳んだのち、残りの一対の側壁部材３をその上に重なるように折り畳め、コンパクトになる。
【００２６】
一方、使用する際には、まず、図２のような状態から２枚の側壁部材３を回動させて底板部材２に対して略垂直になる状態にしたのち、側壁部材４を回動させて底板部材２に略垂直になるまで引き起し、被係合部４３と弾性係合部３２とを係合させる。
【００２７】
詳しく説明すると、側壁部材４を引き起こしていくと、まず、被係合部４３が弾性係合部３２のテーパ面３２１ａに当たる。そして、さらに引き起こすと、弾性係合部３２が下方に押圧されて下方に向かって弾性変形し、被係合部４３が弾性係合部３２の係合部本体３２１を乗り越える。被係合部４３が係合部本体３２１を乗り越えると、弾性係合部３２が弾性復元力によって元の状態に戻り、被係合部４３が係合部本体３２１の壁面に係止され、側壁部材４の容器内側方向への回動が防止され、側壁部材４によって、側壁部材３の内側へ回動が防止される。同時に、鉤状ストッパ３３の平行部３３２がストッパ受け部４４内に入り込むので、側壁部材３の外側への回動が防止され、側壁部材４が垂直部３３１に受けられて外側への回動が防止される。また、このとき、ロック解除爪部５４は、弾性係合部３２の内側に入った状態に保持される。
【００２８】
つぎに、再び折り畳む場合には、凹部５１１に指を挿入し、ハンドル５を下方に押し下げ、ロック解除爪部５４が弾性係合部３２を弾性変形させて、被係合部４３の弾性係合部３２との係合を解除した状態で、側壁部材４を折り畳んだのち、図２のように側壁部材３を折り畳むようにする。
【００２９】
この箱型容器１は、以上のように、一方の側壁部材３に設けられた弾性係合部３２と他方の側壁部材４に設けられた被係合部４３とを係合させることによって、組み立て状態を保持するようにしたので、側壁部材３，４に回動方向の荷重がかかっても、ハンドルにはまったくその荷重がかからない。
したがって、ハンドル５自体およびハンドル５の固定構造は単純なもので済み、ハンドル部分の製造が容易で低コスト化を図ることができる。
【００３０】
また、ハンドル５が、射出成形によって成形された一部材で形成され、側壁部材の外壁面に設けられたハンドル取り付け凹部４５に嵌め込むだけで側壁部材４に取り付けられるので、ハンドル５の製造が容易で、ハンドル５の取り付け作業を簡素化することができる。
しかも、ハンドル５は、固定支柱５３を備えており、この固定支柱５３が側壁部材４の上方からの荷重を受けるようになっているので、ハンドル５を取り付けることによって側壁部材４の補強を図ることができる。
また、ロック解除爪部５４に突条５４１を設けたので、固定支柱５３がロック解除爪部５４から外れにくい。
【００３１】
本発明にかかる箱型容器は、上記実施の形態に限定されない。たとえば、上記の実施の形態では、１つのハンドルで左右の弾性係合部３２と被係合部４３との係合を解除できるようになっていたが、左右別々にハンドルを設けるようにしても構わない。
また、上記の実施の形態では、側壁部材が容器の内側に倒れるようになっていたが、外側に倒れるようにしても構わない。なお、側壁部材が外側に倒れる構造とする場合は、弾性係合部のコ字の開口の向きや、被係合部等の向きは、上記実施の形態と反対向きにすればよい。
【図面の簡単な説明】
【００３２】
【図１】本発明にかかる箱型容器の１つの実施の形態をあらわし、その組み立て状態の斜視図である。
【図２】図１の箱型容器の折り畳み状態の斜視図である。
【図３】図１の箱型容器の長辺側の側壁部材を容器内壁面側からみた斜視図である。
【図４】図３の要部拡大図である。
【図５】図１の箱型容器の短辺側の側壁部材を容器外壁面側からみた斜視図である。
【図６】図５の要部拡大斜視図である。
【図７】図１の箱型容器のハンドルの成形直後の状態をあらわす図であって、同図（ａ）は正面図、同図（ｂ）は斜視図である。
【図８】図７のハンドルの組み立て状態をあらわす斜視図である。
【図９】図８のハンドルを側壁部材の取り付けた状態の斜視図である。
【図１０】図１の箱型容器の弾性係合部と被係合部との係合状態を説明するためにハンドルを取り除いた状態の斜視図である。
【図１１】図１の箱型容器の弾性係合部と被係合部との係合状態を説明するための要部正面図である。
【符号の説明】
【００３３】
１  箱型容器
２  底板部材
３，４  側壁部材
５  ハンドル
３２  弾性係合部
４３  被係合部
５１  ハンドル本体
５２  ハンドル本体付勢部
５４  ロック解除爪部
【図１】
2005082157.tif 000003
【図２】
2005082157.tif 000004
【図３】
2005082157.tif 000005
【図４】
2005082157.tif 000006
【図５】
2005082157.tif 000007
【図６】
2005082157.tif 000008
【図７】
2005082157.tif 000009
【図８】
2005082157.tif 000010
【図９】
2005082157.tif 000011
【図１０】
2005082157.tif 000012
【図１１】
2005082157.tif 000013